(57)【要約】用紙を貫通したステープルの針部を基部から屈曲させ、綴じられた部位をフラットにすることができるステープラを提供する。ステープル４を用紙６に向けて打ち出し、用紙を貫通した針部５をクリンチャ４０によって折り曲げるステープラにおいて、開口部４４を有する紙支持部材４２と、その開口部を介して下方に配設された折り曲げ部材４３とをクリンチャ基台４１に取り付け、針部５が開口部４４を挿通する際に、折り曲げ部材が紙支持部材に対して相対移動するように、紙支持部材を付勢した。そして、紙支持部材の傾斜状の内壁面４６に摺接しながら折り曲げ部材が移動するようにすることで、針部を側方から押圧して折り曲げるようにした。【選択図】図２
2012063664.tif 000002
【特許請求の範囲】
【請求項１】
ステープル（４）を用紙（６）に向けて打ち出し、該用紙（６）を貫通した前記ステープル（４）の針部（５）をクリンチャ（４０）によって折り曲げるステープラ（１０）であって、
前記クリンチャ（４０）は、開口部（４４）を有する平面にて用紙（６）を支持する紙支持部材（４２）と、前記針部（５）を折り曲げるために前記開口部（４４）を介して配設された折り曲げ部材（４３）と、をクリンチャ基台（４１）に設けてなり、
打ち出された前記針部（５）が前記開口部（４４）を挿通する際に、前記折り曲げ部材（４３）が前記紙支持部材（４２）に対して相対移動するように、該折り曲げ部材（４３）又は前記紙支持部材（４２）を前記クリンチャ基台（４１）に対して付勢したことを特徴とするステープラ。
【請求項２】
前記紙支持部材（４２）は、前記開口部（４４）から連続する傾斜状の内壁部（４６）を有してなり、該内壁部（４６）に摺接しながら前記折り曲げ部材（４３）が相対移動することで前記針部（５）に対して側方から押圧して折り曲げることを特徴とする請求項１に記載のステープラ。
【請求項３】
前記内壁部（４６）は、針部（５）を折り曲げる方向とは反対方向に向けて下降しており、該内壁部（４６）に摺接しながら前記折り曲げ部材（４３）が相対移動することで、該折り曲げ部材（４３）の移動方向先端部に設けられた折り曲げ部（４８）において、前記針部（５）を折り曲げるように構成されたことを特徴とする請求項２に記載のステープラ。
【請求項４】
前記折り曲げ部（４８）は、側方に突出した形状であることを特徴とする請求項３に記載のステープラ。
【請求項５】
前記折り曲げ部（４８）に、上方に向けた突出部を設けたことを特徴とする請求項４に記載のステープラ。
【請求項６】
前記紙支持部材（４２）は、弾性部材（４５）を介して前記クリンチャ基台（４１）に上下動可能に取り付けられたものであることを特徴とする請求項１〜請求項５の何れか１つの請求項に記載のステープラ。
【請求項７】
ステープル（４）の連結体（４’）が収容されるマガジン（２０）と、該マガジン（２０）内に収容された前記ステープル（４）を用紙（６）に向けて打ち出すドライバ（３０）と、用紙（６）を貫通した前記ステープル（４）の針部（５）を折り曲げる前記クリンチャ（４０）と、を夫々の一端部に設けられた枢支軸（１３）を介して回動可能に組み付け、
前記ドライバ（３０）に取り付けられた上ハンドル部（１１）と、前記クリンチャ基台（４１）に取り付けられた下ハンドル部（１２）とを近接させることで、前記ドライバ（３０）が前記ステープル（４）を打ち出すと共に、前記紙支持部材（４２）を前記クリンチャ基台（４１）に向けて押圧し、前記折り曲げ部材（４３）を相対移動させたことを特徴とする請求項６に記載のステープラ。  
【請求項８】
ステープル（４）の連結体（４’）が収容されるマガジン（２０）と、該マガジン（２０）内に収容された前記ステープル（４）を用紙（６）に向けて打ち出すドライバ（３０）と、用紙（６）を貫通した前記ステープル（４）の針部（５）を折り曲げるクリンチャ（４０）と、を一端部に設けられた枢支軸（１３）を介して回動可能に組み付け、
前記ドライバ（３０）に取り付けられた上ハンドル部（１１）と、前記クリンチャ基台（４１）に取り付けられた下ハンドル部（１２）とを近接させることで、前記ドライバ（２０）が前記ステープル（４）を打ち出すと共に、前記折り曲げ部材（４３’）を前記クリンチャ基台（４１）に向けて押圧し、前記折り曲げ部材（４３’）を相対移動させてなることを特徴とする請求項１〜請求項５の何れか１つの請求項に記載のステープラ。
【発明の詳細な説明】
【技術分野】
【０００１】
本発明は、ステープルの針部を用紙に貫通させ、屈曲させて用紙束を綴じるステープラに関し、特に、貫通されたステープル針を基部から折り曲げ、用紙の裏面に沿ってフラットに屈曲させることができるステープラに関する。
【背景技術】
【０００２】
複数の用紙を綴じるためのステープラは、連結状態のステープルが収容されるマガジンと、マガジン内に収容されたステープルを用紙に向けて打ち出すドライバと、マガジンから打ち出されて用紙を貫通したステープルの針部を折り曲げるクリンチャと、を含んで構成される。クリンチャの先端には、針部を折り曲げるための針溝が設けられており、クリンチャの上面に用紙を載置し、針溝に向けてステープルを打ち込むことで、ステープルの背部が用紙の表面に押し付けられた状態で、針部が用紙を貫通し、その貫通された針部がクリンチャの針溝に導かれながら、裏面に向けて屈曲されるようになっている。【０００３】
このようなステープラにおいて、図５に示すクリンチャ機構１のように、紙支持台２の裏面に可動クリンチャ３を回動可能に設け、ステープル４の針部５が用紙６を貫通すると同時に、可動クリンチャ３を、針部５を折り曲げる方向に回動させるようにしたものが提案されている（特許文献１）。
このステープラは、マガジン７内に収容されたステープル４を、ドライバ８によって打ち出し、用紙６を貫通した針部５を、可動クリンチャ３によって折り曲げることで、用紙６を綴じることができる。可動クリンチャ３を回動させて、用紙６から貫通された針部５を側方から押圧するので、貫通された針部５を基部５ａから屈曲させることができる。
【先行技術文献】
【特許文献】
【０００４】
【特許文献１】特開平１０−１２８６８２号公報
【発明の概要】
【発明が解決しようとする課題】
【０００５】
しかしながら、特許文献１のステープラは、クリンチャを回動させるための駆動機構が必要であり、構造が複雑なものとなる。
そこで、本発明は、簡単な構造であるにもかかわらず、用紙を貫通したステープルの針部を基部から屈曲させることができ、ステープルで綴じられた部位をフラットにすることができるステープラを提供することを目的とする。
【課題を解決するための手段】
【０００６】
上記課題を解決するために、本発明に係るステープラは、ステープルを用紙に向けて打ち出し、該用紙を貫通した前記ステープルの針部をクリンチャによって折り曲げるステープラであって、前記クリンチャは、開口部を有する平面にて用紙を支持する紙支持部材と、前記針部を折り曲げるために前記開口部を介して配設された折り曲げ部材と、をクリンチャ基台に設けてなり、打ち出された前記針部が前記開口部を挿通する際に、前記折り曲げ部材が前記紙支持部材に対して相対移動するように、該折り曲げ部材又は前記紙支持部材を前記クリンチャ基台に対して付勢したことを特徴とするものである。
この場合、前記紙支持部材は、前記開口部から連続する傾斜状の内壁部を有してなり、該内壁部に摺接しながら前記折り曲げ部材が相対移動することで前記針部に対して側方から押圧して折り曲げるように構成してもよい。
【発明の効果】
【０００７】
本発明に係るステープラは、開口部を有する平面にて用紙を支持する紙支持部材と、開口部の下方に配設された折り曲げ部材と、を基台に設けてクリンチャを構成し、ステープルの針部が開口部に打ち出されることで、折り曲げ部材が紙支持部材に対して相対移動されるようにしたので、紙支持部材上で支持された用紙束を押し下げながら、針部を折り曲げることができる。【０００８】
このように、針部を貫通させつつ用紙束を押し下げるので、用紙束の厚みを薄くした状態で、針部を折り曲げることができ、用紙の裏面に沿ってフラットに紙を綴じることが可能となる。
なお、「相対移動」とは、基台に設けられた折り曲げ部材に対して紙支持部材が移動することと、基台に設けられた紙支持部材に対して折り曲げ部材が移動することの双方を含むものとする。【０００９】
特に、紙支持部材の開口部に傾斜状の内壁部を設け、その内壁部に摺接しながら折り曲げ部材が相対移動するようにし、その移動によって針部を側方から押圧するように構成すれば、針部に対する横方向の押圧力を、その先端から基部に向けて滑らかに作用させることができる。これによって、ステープルの針部を、基部において無理なく屈曲させることが可能となり、用紙の裏面に沿って限りなくフラットに折り曲げることができる。
【図面の簡単な説明】
【００１０】
【図１】本発明の第１実施形態に係るステープラを示す斜視図である。
【図２】上記ステープラのクリンチャ機構を示す説明図である。
【図３】上記ステープラの使用状態を示す説明図であり、（ａ）はドライバを押し下げてステープルを押し出す状態、（ｂ）はステープルの針部を用紙に貫通させる状態、（ｃ）は貫通された針部を折り曲げ部材で押圧する状態、（ｄ）は針部が折り曲げられる状態、（ｅ）は用紙が綴じられた状態を示す。
【図４】上記ステープラの変形態様を示す説明図であり、（ａ）はドライバを押し下げてステープルを押し出す状態、（ｂ）はステープルの針部を用紙に貫通させる状態、（ｃ）は貫通された針部を折り曲げ部材で押圧する状態、（ｄ）は針部が折り曲げられる状態、（ｅ）は用紙が綴じられた状態を示す。
【図５】従来のステープラのクリンチャ機構を示す説明図である。
【発明を実施するための形態】
【００１１】
本発明の好適な実施形態について、添付図面に基づいて説明する。なお、実施形態は以下の形態に限定されるものではなく、本発明の課題を解決しうるものであれば他の態様も実施可能である。
【００１２】
図１は、本発明の実施形態に係るステープラ１０を示す斜視図である。
このステープラ１０は、ステープル４を収容するマガジン２０と、ステープル４を押し出すドライバ３０と、ステープル４を折り曲げるクリンチャ４０とを、上下ハンドル１１，１２で挟むように配設したものである。
上ハンドル部１１と下ハンドル部１２とは、一端部に配設された枢支軸１３において相互に結合され、回動可能となっている。
【００１３】
この上下ハンドル部１１，１２と共通の枢支軸１３で、ドライバ３０、マガジン２０、及びクリンチャ４０が、この順で軸結合されている。この場合、上ハンドル部１１の下面側にドライバ３０を設け、下ハンドル部１２の上面側にクリンチャ４０を取り付けている。その間にステープル４を収容するマガジン２０が配設される。
【００１４】
マガジン２０には、コ字型のステープル４が連結状態で収容されている。
このマガジン２０は、断面コ字型のステープルの連結体４’が収容されるようなレール形状を成しており、底面の先端部には、ステープルを１個ずつ排出させるための排出口２１が開設されている。
マガジン２０の内部にはバネ２２が設けられており、ステープルの連結体４’を、マガジン２０の先端部に向けて常に付勢している。
【００１５】
マガジン２０の上方には、マガジン２０に収容されたステープル４を押し出すためのドライバ３０が配設される。
ドライバ３０の先端には、ステープルを押し出すための押し出し部３１が設けられている。この押し出し部３１は、下向きの突出板であり、ステープル４を連結体４’から切り離し、排出口２１から排出させることができる位置に配設されている。
【００１６】
マガジン２０の下方には、ステープル４の針部５を折り曲げるためのクリンチャ４０が配設される。
クリンチャ４０は、クリンチャ基台４１に、用紙を載置させるための紙支持部材４２と、ステープル４を折り曲げるための折り曲げ部材４３とを設けて構成される。
【００１７】
紙支持部材４２は、用紙が載置される平面状の上面部を有し、その先端には、開口部４４が設けられている。この開口部４４は、押し出し部３１に対応する位置に配設されており、ドライバ３０によって押し出されたステープル４の針部５が挿通可能な大きさに設計されている。
その開口部４４を介して折り曲げ部材４３が配設されている。
【００１８】
折り曲げ部材４３は、クリンチャ基台４１の先端部に、水平方向に移動可能に設けられている。紙支持部材４２は、クリンチャ基台４１との間に配設させたバネ４５によって、常に上方に向けて付勢されている。
このように、折り曲げ部材４３は、クリンチャ基台４１に対しては水平方向（Ａ）に、紙支持部材４２に対しては上下方向（Ｂ）に移動可能に構成することで、開口部４４内を傾斜状にスライドするように設計されている（図２及び図３を参照）。
このようなクリンチャ４０によって、ステープル４の針部５を折り曲げるための機構を、図２を参照して説明する。
【００１９】
紙支持部材４２は、開口部４４から連続する傾斜状の内壁面４６を有し、その内壁面４６は、針部５が折り曲げられる方向とは反対方向に向けて下降している。即ち、本実施形態のように内側に向けてステープル４の針部５を折り曲げる場合、開口部４４は外側に向けて拡幅するように、紙支持部材４２の内壁面４６が外側に向けて傾斜状に下降している。
この内壁面４６に摺接しながら相対移動されるように、開口部４４を介して、紙支持部材４２の下方に、折り曲げ部材４３が配設されている。この折り曲げ部材４３は、紙支持部材４２の内壁面４６に摺接される傾斜部４７を有し、傾斜部４７とは反対側には折り曲げ部４８を突設している。この突設された折り曲げ部４８において、ステープル４の針部５を、外側から押圧することで、針部５を内側に向けて折り曲げるようにしている。
【００２０】
このように構成することによって、上下ハンドル１１，１２を近接させることで、ドライバ３０の押し出し部３１が、マガジン２０に収容されたステープル４を押し出し、その際に加わる力Ｆによって、バネ４５の付勢力Ｇに抗して紙支持部材４２が押し下げられる。そして、折り曲げ部材４３が、紙支持部材４２の傾斜状の内壁面４６に摺接しながら上方Ｂに向けて相対移動し、折り曲げ部材４３の上端部において内側に向けて突設された折り曲げ部４８が、針部５を、側方から内側に向けて押圧する。これによって、用紙６から貫通された針部５の側面が、その先端から基部５ａに向けて押圧されていき、針部５を基部５ａにおいて屈曲させることができる（図３を参照）。
【００２１】
上記構成のステープラ１０の使用状態を説明する。
先ず、マガジン２０とクリンチャ４０との間に用紙６を挟む。そして、ハンドル１１，１２を操作することで、ステープル４を押し出し、その針部５を用紙６に貫通させる（図３（ｂ）を参照）。その際に加わる力Ｆによって、用紙６が、紙支持部材４２の上方に向けた付勢力Ｇに抗して押し下げられ、その用紙束の厚みＭを減少させる。
【００２２】
このとき、ハンドル１１，１２を操作した際の押し下げ力Ｆによって、紙支持部材４２が押し下げられ、その傾斜状の内壁面４６が下降する（図３（ｃ）を参照）。この内壁面４６に折り曲げ部材４３の傾斜部４７が摺接しながら、折り曲げ部材４３は、紙支持部材４２に対して上方Ｂに向けて相対移動すると同時に、クリンチャ基台４１上を水平方向Ａに移動する。このようにして、紙支持部材４２の傾斜状の内壁面４６に沿って、折り曲げ部材４３が、斜め上方に向けて移動するようになる。
この際、折り曲げ部材４３の移動方向側の上端部に設けられた折り曲げ部４８が、ステープル４の針部５を両側方（即ち、外側）から押圧しながら、針部５に沿って移動することになる。
【００２３】
このように、折り曲げ部材４３が、針部５の先端から基部５ａに向けて移動しながら連続的に押圧するので、用紙６から貫通された針部５を、基部５ａにおいて屈曲させ、用紙６の裏面に沿って針部５の先端を向かわせることができる（図３（ｄ）（ｅ）を参照）。
これによって、用紙束の厚みを薄くした状態で、ステープル４の針部５を基部から屈曲させて用紙６にフラットに沿わせることができるようになり、ステープル止めされた部位に膨らみが生ずるのを低減できる。
【００２４】
なお、本発明に係るステープラは、上記態様に限定されるものではなく、例えば、図４に示すように、折り曲げ部４８’に、上方に向けた突出部４８ａを設けても良い。また、紙支持部材４２’をクリンチャ基台４１に固定し、クリンチャ基台４１に対して折り曲げ部材４３’がバネ付勢されるようにしてもよい。
紙支持部材４２’をクリンチャ基台４１に固定する場合は、折り曲げ部材４３’に下向きの付勢力Ｇ’が加わるように設計するが、例えば、クリンチャ基台４１と折り曲げ部材４３’との間にバネ４５’を介在させてもよいし、紙支持部材４２と折り曲げ部材４３’との間にバネ３４”を介在させてもよい。
【００２５】
この場合、上下ハンドルを近接させることで、下方向の押圧力Ｆ’と共に、上方向の押圧力Ｆ”が作用されるように構成するのが好ましい。下方向の押圧力Ｆ’によってドライバ３０’がステープル４を打ち出し、その針部５が用紙６を貫通する際に、折り曲げ部材４３’が紙支持部材４２’に対して上方向の押圧力Ｆ”を加える。それによって、折り曲げ部材４３’の傾斜部４７’が、紙支持部材４２’の傾斜状の内壁面４６’に接しながら、斜め上方に移動され、貫通された針部５を、折り曲げ部４８’において側方から押圧することができる。これによって、針部５を基部５ａから屈曲させることが可能となる。
【００２６】
本実施形態のステープラは、針部５を内側に向けて屈曲させるものとしたが、外側に向けて屈曲させるタイプのステープラにも適用することもできる。この場合、折り曲げ部材が内側から外側に向けて相対移動するように、その傾斜状態を設計するものとする。
なお、本発明のステープラは、ステープルを用紙に向けて打ち出し、用紙を貫通した針部をクリンチャによって折り曲げる構成のものであれば如何なるものであってもよく、ドライバの駆動をモーターで行なう電動式のステープラであっても、卓上に載置して使用する据え置き型のステープラであってもよい。
【産業上の利用可能性】
【００２７】
本発明は、事務用に限らず、あらゆる産業分野で使用されるステープラに適用することができる。  
【符号の説明】
【００２８】
１・・・クリンチャ機構
４・・・ステープル
５・・・針部
６・・・用紙
１０・・・ステープラ
１１・・・上ハンドル部
１２・・・下ハンドル部
１３・・・枢支軸
２０・・・マガジン
２１・・・排出口
２２・・・バネ
３０・・・ドライバ
３１・・・押し出し部
４０・・・クリンチャ
４１・・・クリンチャ基台
４２・・・紙支持部材
４３・・・折り曲げ部材
４４・・・開口部
４５・・・バネ
４６・・・内壁面
４７・・・傾斜部
４８・・・折り曲げ部
【図１】
2012063664.tif 000003
【図２】
2012063664.tif 000004
【図３】
2012063664.tif 000005
【図４】
2012063664.tif 000006
【図５】
2012063664.tif 000007
【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
ステープル（４）を用紙（６）に向けて打ち出し、該用紙（６）を貫通した前記ステープル（４）の針部（５）をクリンチャ（４０）によって折り曲げるステープラ（１０）であって、
前記クリンチャ（４０）を、開口部（４４）を有する平面にて用紙（６）を支持する紙支持部材（４２）と、前記針部（５）を折り曲げるために前記開口部（４４）を介して配設された折り曲げ部材（４３）と、をクリンチャ基台（４１）に設けて構成すると共に、
前記紙支持部材（４２）に、前記開口部（４４）から連続する傾斜状の内壁部（４６）を設け、該内壁部（４６）に摺接しながら前記折り曲げ部材（４３）が相対移動することで前記針部（５）を側方から押圧して折り曲げるように構成されたことを特徴とするステープラ。
【請求項２】
（削除）
【請求項３】
前記内壁部（４６）は、針部（５）を折り曲げる方向とは反対方向に向けて下降しており、該内壁部（４６）に摺接しながら前記折り曲げ部材（４３）が相対移動することで、該折り曲げ部材（４３）の移動方向先端部に設けられた折り曲げ部（４８）において、前記針部（５）を折り曲げるように構成されたことを特徴とする請求項１に記載のステープラ。
【請求項４】
前記折り曲げ部（４８）は、側方に突出した形状であることを特徴とする請求項３に記載のステープラ。
【請求項５】
前記折り曲げ部（４８）に、上方に向けた突出部を設けたことを特徴とする請求項４に記載のステープラ。
【請求項６】
前記紙支持部材（４２）は、弾性部材（４５）を介して前記クリンチャ基台（４１）に上下動可能に取り付けられたものであることを特徴とする請求項１に記載のステープラ。
【請求項７】
（削除）
【請求項８】
（削除）
【国際調査報告】
2012063664.tif 000008
2012063664.tif 000009
2012063664.tif 000010
2012063664.tif 000011